(57)【要約】【課題】横風が吹いても、外気導入口から被冷却水が飛散しにくい構造の向流式冷却塔を提供すること。【解決手段】冷却塔１０の頂部に排気用ファン１１を有する排気口１２を設け、該冷却塔１０の側部に少なくとも２ケ所の外気導入口１３を設け、該下部の外気導入口１３より上方に位置する冷却塔１０の内部に被冷却水を散水する散水管１４を設け、外気導入口１３と散水管１４との間に充填材１５を設け、外気導入口１３には被冷却水の液滴が外部に飛散するのを防止するルーバ１６を設けた向流式冷却塔において、充填材１５の下部に、複数の外気導入口１３のルーバ１６とルーバ１６との間の見通しを遮る邪魔板１７を設け、邪魔板１７或いは該邪魔板１７の組み合わせが、外気導入口１３とほぼ同じ高さであり、冷却塔１０の平面で見て略中央部を通って配置されている。【選択図】　　　図１
2004053161.tif 000002
【特許請求の範囲】
【請求項１】
冷却塔を具備し、該冷却塔の頂部に排気用ファンを有する排気口を設け、該冷却塔の側部に少なくとも２ケ所の下部外気導入口を設け、該下部外気導入口より上方に位置する冷却塔の内部に被冷却水を散水する散水部を設け、前記下部外気導入口と前記散水部との間に充填材を設け、前記下部外気導入口には前記被冷却水の液滴が外部に飛散するのを防止するルーバを設けた向流式冷却塔において、
前記充填材の下部に、複数の前記外気導入口のルーバとルーバとの間の見通しを遮る邪魔板を設け、
前記邪魔板或いは該邪魔板の組み合わせが、前記下部外気導入口とほぼ同じ高さであり、冷却塔の平面で見て略中央部を通って配置されていることを特徴とする向流式冷却塔。
【請求項２】
請求項１に記載の向流式冷却塔において、
前記冷却塔は側面が４面からなる角型の塔であり、各側面に外部導入口を備え、
前記邪魔板が角部と中央部とを結ぶように配置されていることを特徴とする向流式冷却塔。
【請求項３】
請求項１に記載の向流式冷却塔において、
前記冷却塔は側面が４面からなる角型の冷却塔であり、３側面に下部外気導入口を備え、
前記邪魔板が両側に外気導入口を持つ角部と中央部、及び外気導入口を備えない側面壁と中央部とを結ぶように配置されていることを特徴とする向流式冷却塔。
【請求項４】
請求項１に記載の向流式冷却塔において、
前記冷却塔は側面が４面からなる角型の冷却塔であり、対向する２側面に下部外気導入口を備え、前記邪魔板は該両側面の間を、中央部を通るように配置されていることを特徴とする向流式冷却塔。
【請求項５】
請求項１に記載の向流式冷却塔において、
前記冷却塔は側面が円筒形をした丸型の冷却塔であり、該冷却塔を支える支柱が３本以上であって、前記邪魔板は各支柱と中央部とを結ぶように配置されていることを特徴とする向流式冷却塔。
【発明の詳細な説明】
【０００１】
【発明の属する技術分野】
本発明は冷凍機などの冷却水を冷却し循環使用するための向流式冷却塔に関し、特に冷却塔の側部に設けられた外気導入口から被冷却水の飛散を防止できる向流式冷却塔に関するものである。
【０００２】
【従来の技術】
従来、この種の向流式冷却塔では、冷却塔の側部に設けた外気導入口から被冷却水が飛散するのを防止するため、外気導入口にルーバを設けている。向流式冷却塔の場合は、充填材の下部は空気通路になっており、液滴は充填材からこの通路を通って下部水槽に落下する。この落下する液滴が外気導入口から飛散するのを防ぐため、ルーバを設けているが、強い横風が吹くと、液滴がルーバを抜けて外に出てしまうという不具合がある。
【０００３】
上記不都合を防ぐため、従来冷却塔の回りに、横風が外気導入口にまともに吹き込まないように、塀を設けるなどの現場対策がなされているが、この塀を設けるなどの現場対策も、冷却塔の設置場所においては困難な設置作業を伴う外、塀などを設置するスペースも必要とするという問題があった。
【０００４】
【発明が解決しようとする課題】
本発明は上述の点に鑑みてなされたもので、横風が吹いても、外気導入口から被冷却水が飛散しにくい構造の向流式冷却塔を提供することを目的とする。
【０００５】
【課題を解決するための手段】
上記課題を解決するため請求項１に記載の発明は、冷却塔を具備し、該冷却塔の頂部に排気用ファンを有する排気口を設け、該冷却塔の側部に少なくとも２ケ所の下部外気導入口を設け、該下部外気導入口より上方に位置する冷却塔の内部に被冷却水を散水する散水部を設け、下部外気導入口と前記散水部との間に充填材を設け、下部外気導入口には被冷却水の液滴が外部に飛散するのを防止するルーバを設けた向流式冷却塔において、充填材の下部に、複数の外気導入口のルーバとルーバとの間の見通しを遮る邪魔板を設け、邪魔板或いは該邪魔板の組み合わせが、下部外気導入口とほぼ同じ高さであり、冷却塔の平面で見て略中央部を通って配置されていることを特徴とする。
【０００６】
上記のように充填材の下部に、邪魔板或いは該邪魔板の組み合わせが、下部外気導入口とほぼ同じ高さであり、冷却塔の平面で見て略中央部を通って配置されているので、強い横風が吹き、ある側部の下部外気導入口から横風が吹き込んでも冷却塔の略中央部を通って配置されている邪魔板により該横風の通り抜けが阻止されるから、充填材から落下する液滴の飛散が防止される。
【０００７】
請求項２に記載の発明は、請求項１に記載の向流式冷却塔において、冷却塔は側面が４面からなる角型の塔であり、各側面に外部導入口を備え、邪魔板が角部と中央部とを結ぶように配置されていることを特徴とする。
【０００８】
上記のように冷却塔は側面が４面からなる角型の塔であり、各側面に外部導入口を備え、邪魔板が角部と中央部とを結ぶように配置されているので、ある側部の外気導入口から横風が吹き込んでも冷却塔の略中央部を通って配置されている邪魔板により該横風の通り抜けが阻止されるから、上記と同様、充填材から落下する液滴の飛散が防止される。
【０００９】
請求項３に記載の発明は、請求項１に記載の向流式冷却塔において、冷却塔は側面が４面からなる角型の冷却塔であり、３側面に下部外気導入口を備え、邪魔板が両側に外気導入口を持つ角部と中央部、及び外気導入口を備えない側面壁と中央部とを結ぶように配置されていることを特徴とする。
【００１０】
上記のように冷却塔は側面が４面からなる角型の冷却塔であり、３側面に下部外気導入口を備え、邪魔板が両側に外気導入口を持つ角部と中央部、及び外気導入口を備えない側面壁と中央部とを結ぶように配置されているので、ある側部の外気導入口から横風が吹き込んでも邪魔板により該横風の通り抜けが阻止されるから、上記と同様、充填材から落下する液滴の飛散が防止される。
【００１１】
請求項４に記載の発明は、請求項１に記載の向流式冷却塔において、冷却塔は側面が４面からなる角型の冷却塔であり、対向する２側面に下部外気導入口を備え、邪魔板は該両側面の間を、中央部を通るように配置されていることを特徴とする。
【００１２】
上記のように冷却塔は側面が４面からなる角型の冷却塔であり、対向する２側面に下部外気導入口を備え、邪魔板は該両側面の間を、中央部を通るように配置されているので、一方の側部の外気導入口から横風が吹き込んでも邪魔板により該横風の通り抜けが阻止されるから、上記と同様、充填材から落下する液滴の飛散が防止される。
【００１３】
請求項５に記載の発明は、請求項１に記載の向流式冷却塔において、冷却塔は側面が円筒形をした丸型の冷却塔であり、該冷却塔を支える支柱が３本以上であって、邪魔板は各支柱と中央部とを結ぶように配置されていることを特徴とする。
【００１４】
上記のように冷却塔は側面が円筒形をした丸型の冷却塔であり、該冷却塔を支える支柱が３本以上であって、邪魔板は各支柱と中央部とを結ぶように配置されているので、側部の外気導入口から横風が吹き込んでも邪魔板により該横風の通り抜けが阻止されるから、充填材から落下する液滴の飛散が防止される。
【００１５】
【発明の実施の形態】
以下、本発明の実施の形態例を図面に基づいて説明する。図１は本発明に係る向流式冷却塔の構成を示す図である。図１において、１０は冷却塔であり、該冷却塔１０の頂部には排気用ファン１１を有する排気口１２を設けている。冷却塔１０の側部に外気導入口１３、１３を設け、該外気導入口１３、１３より上方に位置する冷却塔１０の内部に被冷却水を散水する散水管１４を設けている。外気導入口１３と散水管１４との間に充填材１５が配置され、外気導入口１３、１３には散水管１４からの被冷却水の液滴が外部に飛散するのを防止するルーバ１６、１６を設けている。
【００１６】
充填材１５の下部に、複数の外気導入口１３のルーバ１６とルーバ１６との間に見通しを遮る邪魔板１７を設けている。邪魔板１７或いは該邪魔板１７の組み合わせは、図３（図１のＡ−Ａ断面図）に示すように、外気導入口１３、１３とほぼ同じ高さであり、冷却塔１０の平面で見て略中央部を通って配置されている。邪魔板１７は図２（ａ）に示すように、１枚の板からなるものでもよいし、また、図２（ｂ）に示すように、複数枚（図では４枚）の板１７−１を互い違いに配置し、板１７−１と１７−１の間に隙間を設けた構成としてもよい。このように板１７−１と１７−１の間に隙間を設けることにより、風圧バランスの修正ができる。また、冷却塔１０の下部には下部水槽１８が配置されている。
【００１７】
上記構成の向流式冷却塔において、負荷部である例えば冷凍機１９から送られてくる高温の循環冷却水を散水管１４を通して充填材１５上に散水する。散水された水は充填材１５を流下中に循環冷却水と向流式に外気と接触し、一部を蒸発し、気化の潜熱作用により冷却し、下部水槽１８に流入する。下部水槽１８の冷却された水はポンプ２０により冷凍機１９に送られる。
【００１８】
図３に示すように、充填材１５の下部に、邪魔板１７或いは該邪魔板１７の組み合わせが、外気導入口１３とほぼ同じ高さで、冷却塔１０の平面で見て略中央部を通って配置されているので、強い横風が吹き、側部の外気導入口１３から横風が吹き込んでも冷却塔１０の略中央部を通って配置されている邪魔板１７により該横風の通り抜けが阻止されるから、充填材１５から落下する水滴の飛散が防止される。
【００１９】
上記例では、冷却塔１０は側面が４面からなる角型の塔であり、各側面に外部導入口１３を設けているが、外部導入口１３は各側面に設ける必要がなく、図４に示すように、３側面に外気導入口１３を備え、邪魔板１７が両側に外気導入口１３を持つ角部２１と中央部、及び外気導入口１３を備えない側面壁２２と中央部とを結ぶように配置してもよい。また、更に図５に示すように、対向する２側面に外気導入口１３、１３を備え、邪魔板１７は該両側面の間を、中央部を通るように配置してもよい。
【００２０】
また、図６に示すように、冷却塔１０を側面が円筒形をした丸型の冷却塔とし、該冷却塔１０を支える支柱２３が３本以上であって、邪魔板１７は各支柱２３と中央部とを結ぶように配置してもよい。
【００２１】
【発明の効果】
以上説明したように各請求項に係る発明によれば、邪魔板或いは該邪魔板の組み合わせが、外気導入口とほぼ同じ高さであり、冷却塔の平面で見て略中央部を通って配置されているので、強い横風が吹き、ある側部の下部外気導入口から横風が吹き込んでも冷却塔の略中央部を通って配置されている邪魔板により該横風の通り抜けが阻止されるから、充填材から落下する液滴の飛散が防止されるという優れた効果が得られる。
【図面の簡単な説明】
【図１】本発明に係る向流式冷却塔の構成例を示す図である。
【図２】本発明に係る向流式冷却塔に用いる邪魔板の構成例を示す図である。
【図３】本発明に係る向流式冷却塔に用いる邪魔板の水平配置構成例を示す図（図１のＡ−Ａ断面図）である。
【図４】本発明に係る向流式冷却塔に用いる邪魔板の水平配置構成例を示す図である。
【図５】本発明に係る向流式冷却塔に用いる邪魔板の水平配置構成例を示す図である。
【図６】本発明に係る向流式冷却塔に用いる邪魔板の水平配置構成例を示す図である。
【符号の説明】
１０　　　　　　　冷却塔
１１　　　　　　　排気用ファン
１２　　　　　　　排気口
１３　　　　　　　外気導入口
１４　　　　　　　散水管
１５　　　　　　　充填材
１６　　　　　　　ルーバ
１７　　　　　　　邪魔板
１８　　　　　　　下部水槽
１９　　　　　　　冷凍機
２０　　　　　　　ポンプ
２１　　　　　　　角部
２２　　　　　　　側面壁
２３　　　　　　　支柱
【図１】
2004053161.tif 000003
【図２】
2004053161.tif 000004
【図３】
2004053161.tif 000005
【図４】
2004053161.tif 000006
【図５】
2004053161.tif 000007
【図６】
2004053161.tif 000008